(57)【要約】【課題】通常のリズム楽器にはない斬新なフルーツの外観を呈すると同時にフルーツの香りを呈し、本格的な楽器演奏以外に、幼児や知的障害者，老人等の興味をひき、知育やリハビリのための知育楽器としても有用であると共に、フルーツの香りがもたらすアロマテラピーによる効用を期待することが可能であり、且つ使用に伴ってフルーツの香りが減少ないしは呈しなくなった場合には簡便に香料を補充することにより継続して使用することが可能なリズム楽器を安価に提供する。【解決手段】楽器本体１を、フルーツの形状および色彩を模した中空状に形成し、その内部を少なくとも２室以上に仕切り、そのうちの少なくとも１室１ａ内に細かい硬球２を所定量入れ少なくとも１室内１ｂにはフルーツの香りを放つ香料３を入れ、且つ香料を入れた室１ｂを栓蓋１５で開閉自在とすると共に楽器本体の外部に通じる香気放散用孔１３を形成してなる。【選択図】　図１
0003097548.tif 000002
【実用新案登録請求の範囲】
【請求項１】
楽器本体を、フルーツの形状および色彩を模し且つフルーツの香りを放つ中空状に形成せしめ、該楽器本体の中空内部に細かい硬球を所定量入れてなることを特徴とするリズム楽器。
【請求項２】
楽器本体を、フルーツの形状および色彩を模した中空状に形成し、該楽器本体の内部を少なくとも２室以上に仕切り、そのうちの少なくとも１室内には細かい硬球を所定量入れ少なくとも１室内にはフルーツの香りを放つ香料を入れ、且つ前記香料を入れた室に楽器本体の外部に通じる香気放散用孔を形成してなることを特徴とするリズム楽器。
【請求項３】
前記香料を入れた室を栓蓋で開閉自在となし、該室内の香料を交換取り出し自由としてなる請求項２記載のリズム楽器。
【考案の詳細な説明】
【０００１】
【考案の属する技術分野】
本考案は、打楽器の一種である振って音を出すシェーカーやマラカス等のリズム楽器に関し、更に詳しくは、本来の楽器演奏としての使用の他に、知育やリハビリ等に用いる知育楽器としても有用なリズム楽器に関するものである。
【０００２】
【技術的背景】
従来から提供されているシェーカーやマラカス等のリズム楽器は、振って音を出すリズム楽器としての使い勝手やその音色に主眼をおいて作製されていたので、知育やリハビリ等に用いる用具（知育楽器）としては視覚に訴えるような外観形状および色彩的に面白味に欠けるものであった。
一方、近年、一般家庭や幼稚園，擁護施設，養老施設等では、幼児や知的障害者，老人等の知育やリハビリ等の一環として、カスタネットやタンバリンなどのリズム楽器を用いた遊戯や知育演奏が行われているが、その現場では幼児や知的障害者，老人等に親しみやすいリズム楽器としての知育楽器が求められていた。
【０００３】
【従来の技術】
そこで、本願出願人には先に、シェーカー本体の外観を、リンゴやバナナ，キューイ，レモンなどのフルーツを模した形状および色彩に形成し、そのシェーカー本体の内部に金属球，ガラス球，小石，砂等からなる細かい硬球を所定量入れて構成してなるリズム楽器を発案し提供した（特許文献１を参照。）。
この新規なリズム楽器（シェーカー）によれば、本格的な楽器演奏に使用できることは勿論のこと、その外観が幼児や知的障害者，老人等の興味を引く親しみやすさを持っているので、知育やリハビリ等に用いる知育楽器として遊戯や知育演奏に使用しやすくなった。
【０００４】
【先行技術文献の開示】
【特許文献１】
実用新案登録第３０２９２３６号公報
【０００５】
【考案が解決しようとする課題】
他方、近年アロマテラピーと称する香りによる心療的効用が注目され、知育やリハビリ等においても応用できないか研究されている。
そこで上述したシェーカーやマラカス等のリズム楽器に「香り」を組み込む場合、シェ−カー本体内に入れる硬球の代わりに粒状に形成された香料を用いたり、或いは硬球に香料をまぶすことなどが考えられるが、そうすると打楽器としてのリズム楽器本来の歯切れの良いシャカシャカした音色が得られないので、特別の工夫が必要となる。
また、香料の香りは大気中において時間の経過とともに比較的早期に消失してしまうので、何らかの方法で香料を補充するか、或いは楽器本体を使い捨てにしなければならず、するとコスト高になってしまうため、この点においても工夫が必要となる。
【０００６】
本考案はこのような現状に鑑みてなされたものであり、その目的とする処は、通常のリズム楽器にはない斬新なフルーツの外観を呈すると同時にフルーツの香りを呈し、本格的な楽器演奏に使用できることは勿論のこと、幼児や知的障害者，老人等の興味をひき、知育やリハビリのための知育楽器としても有用であると共に、フルーツの香りがもたらすアロマテラピーによる効用を期待することが可能であり、且つ使用に伴ってフルーツの香りが減少ないしは呈しなくなった場合には簡便に香料を補充することにより継続して使用することが可能なリズム楽器を安価に提供することにある。
【０００７】
【課題を解決するための手段】
上述の目的を達成する本考案の請求項１に係るリズム楽器は、楽器本体を、フルーツの形状および色彩を模し且つフルーツの香りを放つ中空状に形成せしめ、該楽器本体の中空内部に細かい硬球を所定量入れてなることを特徴としたものである。
ここで楽器本体とは、シェーカーやマラカス等において音源としての金属球，ガラス球，小石，砂等からなる細かい硬球を入れる（収容する）ための部分をいうが、これに限定されるものではなく、例えばマラカスにおける握り柄の部分をも含めて楽器本体としても良い。
また、本考案の請求項２に係るリズム楽器は、楽器本体を、フルーツの形状および色彩を模した中空状に形成し、該楽器本体の内部を少なくとも２室以上に仕切り、そのうちの少なくとも１室内には細かい硬球を所定量入れ少なくとも１室内にはフルーツの香りを放つ香料を入れ、且つ前記香料を入れた室に楽器本体の外部に通じる香気放散用孔を形成してなることを特徴としたものである。
そして、本考案の請求項３に係るリズム楽器は、前記香料を入れた室を栓蓋で開閉自在となし、該室内の香料を交換取り出し自由としてなることを特徴としたものである。
なお、本発明の係るリズム楽器としては、シェーカーやマラカスに適用するのが最適であるが、これらに限定されるものではない。
【０００８】
【作用】
楽器本体が親しみ易いフルーツを模した形状および色彩を施して形成され、且つ楽器本体からフルーツの香りが放出されるので、演奏者や聴衆に対して従来の本格的リズム楽器にはない斬新なイメージを供し得、更には、その形状，色彩および香りが幼児，知的障害者，老人等の興味を引くものであることから、リンゴ，バナナ，キューイ，レモン，その他の各種フルーツの形状や色彩および香りの識別、判別能力の向上を図るための知育玩具として、或いはリハビリのための遊戯や知育演奏に用いる知育楽器としてなど、幅広い使用が可能になると共に、使用時に放散される香りがもたらすアロマテラピーによる効用を期待することが可能となる。
【０００９】
【考案の実施の形態】
以下、本考案の好適実施の形態を図面を参照しながら詳細に説明するが、本考案は図示実施例のものに限定されるものではない。
図示実施例のものは、リズム楽器としてシェーカーを採用し、フルーツとしてリンゴを模した形状と色彩および香りを施した例を現わし、図中の符号１は楽器本体を、２は硬球を、３は香料をそれぞれ示す。
【００１０】
楽器本体１は、スチロール等の合成樹脂材料を用いて、ブロー成形などによりリンゴ等のフルーツの形状を模した内部中空形状に成形し、その内部に細かい硬球２を所定量入れると共に、フルーツの香りを放つ香料３を上記硬球２とは完全に分離して入れるか、或いは楽器本体１自体からフルーツの香りを放つようにする。
尚、楽器本体１の大きさは、実物大としても良いし、実物より大きくしたり小さくするなどは自由である。
【００１１】
楽器本体１からフルーツの香りを放つようにする場合、楽器本体１を成形する合成樹脂材料に香料を添加して練りこんでも良いし、楽器本体１を所定の外観形状に成形した後にその外表面に着色塗料と共にまたは着色塗料とは別に香料を塗布しても良い。
そして、楽器本体１の内部に香料３を硬球２と完全に分離して入れる場合、楽器本体１の内部を少なくとも２室以上に仕切り、そのうちの少なくとも１室１ａ内には細かい硬球２を所定量入れ、少なくとも１室１ｂ内には香料３を入れるようにする。ちなみに図示実施例では、楽器本体１の内部を１枚の仕切り板４でもって上下に２つの室１ａ，１ｂに仕切り、上側の室１ａ内に細かい硬球２を所定量入れ、下側の室１ｂ内に通気性を有する香料袋５に収容された香料３を入れてなる。
【００１２】
細かい硬球２を入れる室１ａは、収容した中の硬球２が外部や香料を入れた室１ｂ側に不用意に漏出しないように、楽器本体１と仕切り板４により密閉することが望ましい。そのために、硬球２を入れる室１ａを構成している部分の楽器本体１の適宜箇所、好ましくは外側から余り目立たない部分、具体的にはフルーツのヘタ（ガク）等に相当する部分に硬球入れるための孔１１を開穿し、その硬球入れ孔１１から所定量の硬球２を室１ａ内に入れた後、当該硬球入れ孔１１を栓１２で閉塞して接着剤等で密閉する。
【００１３】
香料３を入れる室１ｂには、硬球２を入れる室１ａとは逆に、その内部に収容した香料３の香りが楽器本体１の外部に放散されるように、楽器本体１の外部に通じる香気放散用孔１３を形成する。この場合も、外側から余り目立たないフルーツのヘタ（ガク）等に相当する部分に香気放散用孔１３を形成することが好ましい。
また、香料３を入れる室１ｂは、その内部に収容した香料３から放散されるフルーツの香りが減少ないしは無くなってしまったときに自由に交換取り出しを行なえるように、適宜大きさの穴１４を開設し、その穴１４を栓蓋１５で開閉自在に形成する。この際、図示実施例のごとく、栓蓋１５に上記香気放散用孔１３を形成するようにしても良い。
【００１４】
また、フルーツを模した外観に形成された楽器本体１の外表面は、顔料や染料等からなる着色塗料を用いて、その外観に相当するフルーツ様の模様および色彩を施す。楽器本体１の外表面のフルーツ様の模様および色彩を施す場合、楽器本体１を成形する合成樹脂材料に顔料，染料等を添加して成形時に着色・模様を施すようにしても良いが、楽器本体１を所定の外観形状に成形した後に着色塗料をスプレー等により塗布して模様・色彩を施すほうがよりリアルな着色・模様を施すことができるので好ましい。
【００１５】
室１ａ内に入れる硬球２としては、直径２ｍｍ程度の細かい金属球、ガラス球、小石、砂等からなる１種または２種以上を混合したものを用い、楽器本体１内に、楽器本体１を振ったときにシェーカー，マラカス等のリズム楽器として歯切れの良いシャカシャカした音色が得られるように所定量を入れる。
【００１６】
室１ｂに入れる香料３としては、楽器本体１の外観にマッチした香り、すなわち楽器本体１が例えばリンゴを模した外観形状をしている場合にはリンゴの香りを放つ香料を用い、バナナを模した外観形状をしている場合にはバナナの香りを放つ香料を用いるようにする。但し、使用する香料は必ずしも楽器本体１の外観にマッチした香りとしなければならない訳ではない。
更に、室１ｂに入れる香料３の形態としては、図示例のごとく粒状の香料を収容する香料袋５を用いても良いし、綿やスポンジ等の給水性を有するものに液状の香料を含浸させるようにしても良い。後者の形態を採用した場合、図示実施例のごとき香料袋５を交換するために必要な開閉自在な栓蓋１５を必要とせず、香料３を入れる室１ｂの適当な箇所に開設した香りを放散するための香気放散用孔１３から液状の香料を供給することができる。
【００１７】
【考案の効果】
本考案に係るリズム楽器は斯様に構成してなるので、通常のリズム楽器にはない斬新なフルーツの外観を呈すると同時にフルーツの香りを呈し、本格的な楽器演奏に使用できることは云うまでもなく、使用者（演奏者）や聴衆に対して、従来品にはない斬新なイメージを供し得る。
【００１８】
しかも、その外観並びに香りが幼児や知的障害者，老人等の興味をひき且つ親しみ易いものとなり、しかも手に持った際に硬球による音を発生すると同時にフルーツの香りがすることから、音や香りに対する興味並びに楽器に対する興味を引くことが出来る。よって、リンゴ，バナナ，キューイ，レモン，その他の各種フルーツの形状や色彩および香りの識別、判別能力の向上を図るための知育玩具として、或いは知育やリハビリのための遊戯や知育演奏に用いる知育楽器として有用なものとなる。加えて、使用時に放散されるフルーツの香りがもたらすアロマテラピーによる効用を期待することが可能となる。
【００１９】
更に、特に請求項３に記載のリズム楽器によれば、香料を入れた室を栓蓋で開閉自在となしたので、楽器本体内に入れた香料によるフルーツの香りが使用に伴って減少ないしはほとんど呈しなくなった場合に、栓蓋を開けて香料を簡便に補充することができ、よって楽器本体を使い捨てすることなく継続して安価に使用することが可能となる。
【図面の簡単な説明】
【図１】本考案に係るリズム楽器の実施の一例を示す縦断正面図。
【符号の説明】
１：楽器本体　　　　　１ａ：硬球を入れる室
１ｂ：香料を入れる室　　　　１１：硬球入れ孔
１２：栓　　　　　　　　　　１３：香気放散用孔
１４：穴　　　　　　　　　　１５：栓蓋
２：硬球　　　　　　　　　　　３：香料
４：仕切り板　　　　　　　　　５：香料袋
【図１】
0003097548.tif 000003